(57)【要約】【課題】通信アダプタの通信のための第１識別符号とは別個の符号を付すことで、家電機器のアドレス情報が登録時と異なっていてもネットワーク上から一意に家電機器を識別可能とするホームネットワークシステムを提供する。【解決手段】コントローラ６は、ネットワークに接続される通信アダプタ３，４に、固有に割当てるノードＩＤを含む第１識別符号と、別に個体識別を行うための第２識別符号とを付与する機能を備えている。通信アダプタ３，４を接続することにより、ネットワークに接続される家電機器（エアコン１）や住宅設備機器（照明機器２）などのようなネットワーク対応機器に対しても、ネットワーク上から一意にネットワーク対応機器を識別できるホームネットワークシステムを提供することができる。【選択図】図１
2008172570.tif 000002
【特許請求の範囲】
【請求項１】
ネットワークに接続される通信アダプタと、前記通信アダプタに接続することで前記ネットワークに通信可能となる家電機器や住宅設備機器などのネットワーク対応機器と、識別符号を付与するマスターノード機能を持つコントローラとを備えるホームネットワークシステムにおいて、
前記コントローラは、前記ネットワークに接続される前記通信アダプタに、通信を確立するために固有に割当てるノードＩＤを含む第１識別符号と、別に個体識別を行うために第２識別符号とを付与することを特徴とするホームネットワークシステム。
【請求項２】
前記コントローラは、前記各ネットワーク対応機器の名称、設置場所、制御可能な機能情報などの機器固有情報を取得・設定した後に、当該各ネットワーク対応機器に前記第２識別符号を付与することを特徴とする請求項１記載のホームネットワークシステム。
【請求項３】
前記コントローラは、操作部、表示部、及び記憶部を備えており、前記通信アダプタに付与した前記第１識別符号を当該通信アダプタが設定した後、該通信アダプタに接続される前記ネットワーク対応機器から前記機器固有情報を取得することに応じて、前記ネットワーク対応機器を表示する時の名称、設置場所等の情報を前記操作部から入力して前記記憶部に記憶すると共に、該通信アダプタに前記第２識別符号を付与することを特徴とする請求項２記載のホームネットワークシステム。
【請求項４】
前記通信アダプタは表示部を備えており、前記通信アダプタの当該表示部は、前記コントローラにおける前記操作部での入力の時に、前記コントローラの指示により、該通信アダプタの位置を確認するための表示を行うことを特徴とする請求項３記載のホームネットワークシステム。
【請求項５】
前記コントローラは、前記通信アダプタの位置を確認するための表示と合わせて、前記通信アダプタに接続されている前記ネットワーク対応機器の動作ＯＮ／ＯＦＦ等の制御を行うことを特徴とする請求項４記載のホームネットワークシステム。
【請求項６】
前記コントローラは、前記第１識別符号及び前記第２識別符号により登録済みのネットワーク対応機器又は通信アダプタであるかどうかの判定を行う機器判定手段を備えることを特徴とする請求項１記載のホームネットワークシステム。
【請求項７】
前記コントローラは、動作状態を表示する表示手段を備えており、前記機器判定手段が登録済みでないネットワーク対応機器又は通信アダプタであると判定することに応じて、前記表示手段により未登録のネットワーク対応機器又は通信アダプタがあることを知らしめることを特徴とする請求項６記載のホームネットワークシステム。
【請求項８】
前記コントローラは、前記機器判定手段が登録済みでないネットワーク対応機器又は通信アダプタと判定した場合、新規の登録処理を行うことを特徴とする請求項６又は７記載のホームネットワークシステム。
【請求項９】
前記通信アダプタは、動作状態を表示する表示手段を備え、前記コントローラからネットワーク対応機器又は通信アダプタが未登録である旨の通知又は、新規登録処理の実行指示があると、前記表示手段により未登録状態又は登録処理状態であることを知らしめることを特徴とする請求項６、７又は８記載のホームネットワークシステム。
【請求項１０】
前記通信アダプタは、前記ネットワークに接続して前記コントローラから前記第２識別符号を割当てられた後、該通信アダプタに接続されたネットワーク対応機器が変更されたかどうかの接続機器判定手段を備えることを特徴とする請求項１記載のホームネットワークシステム。
【請求項１１】
前記通信アダプタは、前記接続機器判定手段が当該通信アダプタに接続されたネットワーク対応機器が変更になったと判定することに応じて、既に割当てられた前記第２識別符号を削除して、前記コントローラに新たな機器の制御可能な機能情報などの機器固有情報を送信することを特徴とする請求項１０記載の通信アダプタ及びホームネットワークシステム。
【請求項１２】
前記通信アダプタは、前記第２識別符号を当該通信アダプタに接続される前記ネットワーク対応機器に付与することを特徴とした請求項１記載のホームネットワークシステム。
【発明の詳細な説明】
【技術分野】
【０００１】
本発明は、ネットワーク用通信機器が通信アダプタを介してネットワークに接続されるホームネットワークシステムに関する。
【背景技術】
【０００２】
家電機器や住宅設備機器同士をネットワーク接続して相互操作・相互運用するホームネットワークシステムが普及しつつある。現在、ホームネットワークシステムで使用する通信プロトコルとしては、エコーネット、ＨｏｍｅＰＮＡ（Home Phoneline Networking Alliance）、ＨＡＶｉ（Home Audio Video Interoperability）等の様々な方式が規格されており、伝送媒体もこのような規格に応じて、無線、有線、赤外線等と様々なもので構成されている。
【０００３】
このようなホームネットワークシステムで通信を行うためには、機器を特定する識別符号の情報が必要であり、特許文献１には、識別符号情報に関して伝送媒体が異なるサブネットを含め識別符号を付与する方法が開示されている。
【０００４】
また、特許文献２には、家電機器と、ネットワークに接続するための通信アダプタを別に構成し、当該通信アダプタを後から接続する又は変更することにより、家電機器をネットワークに対応させる場合の家電機器側の負担を軽減し、伝送媒体の異なるホームネットワークにも容易に対応できるようにしたシステム構成が提案されている。
【０００５】
このような家電機器と通信アダプタを別々に構成するホームネットワークシステムにおいて、ネットワークとして機器を特定する識別符号が割当てられるのは、ネットワークと通信を行う通信アダプタである。例えば、コントローラなどの操作端末と家電機器との間で伝送媒体が無線通信の場合、使用する無線ＣＨ、ハウスコードなどの識別符号、マックアドレスなどネットワーク上の機器を一意に識別するためのアドレス情報などの識別符号を操作端末と家電機器とがお互いで認識して初めて通信が可能となるが、これらの識別符号は通信アダプタに付与され、通信アダプタがネットワークに対応することで家電機器側の負担が軽減されるように構成されている。
【特許文献１】特開２００３−８５７６公報
【特許文献２】特開２００５−７３０５５号公報
【発明の開示】
【発明が解決しようとする課題】
【０００６】
しかしながら、従来の家電機器と通信アダプタを別々に構成するホームネットワークシステムにおいては、コントローラなどの操作端末と家電機器がネットワーク上で通信できるように通信アダプタにアドレス情報等の識別情報を付与できても、該通信アダプタに対して別の家電機器が接続変更された場合、通信アダプタが故障した場合、又は家電機器の設置場所を移動すること等に起因して同じ家電機器であっても別の通信アダプタに接続変更した場合には、家電機器の情報が登録時の情報と食い違うことになる。このような場合、アドレス情報は同じネットワーク上では一意であるので通信には支障がないが、ホームネットワークシステムとしては家電機器のアドレス情報が登録時のそれと違うことになるため、システムを適切に構築できない、したがって再構築を行わなければならないという問題点があった。
【０００７】
そこで、通信アダプタの通信のための第１識別符号とは別個の符号を付すことで、家電機器のアドレス情報が登録時と異なっていてもネットワーク上から一意に家電機器を識別可能とする点で解決すべき課題がある。
本発明は、上記の問題点を解決するためになされたものであって、その目的は、家電機器をネットワークに対応させる場合の家電機器側の通信負担を軽減するために家電機器と通信アダプタに分離可能に構成したホームネットワークシステムであっても、ネットワーク上から一意に家電機器を識別できるホームネットワークシステムを提供することを目的としている。
【課題を解決するための手段】
【０００８】
上記目的を達成するため、本発明は、ネットワークに接続される通信アダプタを接続することによりホームネットワークに接続される家電機器や住宅設備機器等などのネットワーク対応機器に対して、当該ネットワーク対応機器又は通信アダプタの識別符号が該ネットワーク上で一意になるように付与するマスターノード機能を持つコントローラが、前記ネットワークに接続される前記通信アダプタに、通信を確立するために固有に割当てるノードＩＤを含む第１識別符号と、別に個体識別を行うために第２識別符号とを付与する機能を有するものとしている。
【０００９】
好ましくは、コントローラは、前記各ネットワーク対応機器の名称、設置場所、制御可能な機能情報などの機器固有情報を取得・設定した後に、当該各ネットワーク対応機器に第２識別符号を付与する機能をさらに備える。第２識別符号は、登録順や各種機器種別ごとの順番に基づいて定められ、ネットワーク上で一意に当該ネットワーク対応機器を識別可能にする符号である。
【００１０】
好ましくは、コントローラは、操作部、表示部、及び記憶部を備えており、通信アダプタに付与した第１識別符号を当該通信アダプタが設定した後、該通信アダプタに接続される前記ネットワーク対応機器からの制御可能な機能情報などの機器固有情報を取得することに応じて、ネットワーク対応機器をコントローラで表示する時の名称、設置場所等の情報を前記操作部から入力して前記記憶部に記憶すると共に、該通信アダプタに第２識別符号を付与する機能をさらに備える。
【００１１】
好ましくは、通信アダプタは表示部を備えており、当該通信アダプタの表示部は、前記コントローラにおける前記操作部での入力の時に、前記コントローラからの指示により、該通信アダプタの位置を確認するための表示を行う機能をさらに備える。
【００１２】
好ましくは、前記コントローラは、前記通信アダプタの位置を確認するための表示と合わせて、前記通信アダプタに接続されている前記ネットワーク対応機器の動作ＯＮ／ＯＦＦ等の制御を行う機能をさらに備える。即ち、通信アダプタは、コントローラで表示する名称、設置場所等の情報をコントローラ操作部から入力する時、コントローラから該通信アダプタの位置を確認するための指示で、接続されている家電機器の動作ＯＮ／ＯＦＦ等の制御を行う。
【００１３】
また、好ましくは、前記コントローラは、第１識別符号及び第２識別符号により登録済みのネットワーク対応機器又は通信アダプタであるかどうかの判定を行う機器判定手段を有する。具体的には、家電機器又は通信アダプタは、その電源投入時に、コントローラに対して機器情報と既に付与された第２識別符号とを送信する。第１識別符号は通信アダプタとコントローラが通信を行うためのアドレス情報などであり、通信が行えた時点で第１識別符号が一致している。従って、電文を受信できれば、コントローラは第２識別符号が登録済みの符号であるかないか、登録済みの符号の場合には第２識別符号と機器情報が一致しているかどうかを判断する。一致していれば登録済みのネットワーク対応機器又は通信アダプタと判断し、一致していなければ未登録のネットワーク対応機器又は通信アダプタであると判定する。尚、一例としてネットワーク対応機器又は通信アダプタの電源投入時に送信する方法について説明したが、コントローラからネットワーク対応機器又は通信アダプタに定期的に機器情報と第２識別符号を確認するシーケンスであっても良い。
【００１４】
好ましくは、コントローラは、動作状態を表示する表示手段を備えており、機器判定手段が未登録のネットワーク対応機器又は通信アダプタと判定したとき、表示手段により未登録機器があることを使用者に知らしめる機能をさらに備える。
【００１５】
好ましくは、コントローラは、その機器判定手段において、未登録のネットワーク対応機器又は通信アダプタと判定した場合、新規の登録処理を行う機能をさらに備える。
【００１６】
好ましくは、通信アダプタは、動作状態を表示する表示手段を備え、コントローラからネットワーク対応機器又は通信アダプタが未登録である旨の通知又は、新規登録処理の実行指示があると、表示手段により未登録状態又は登録処理状態であることを知らしめる機能をさらに備える。
【００１７】
また、好ましくは、通信アダプタは、ネットワークに接続してコントローラから第２識別符号を割当てられた後、該通信アダプタに接続されたネットワーク対応機器が変更されたかどうかの接続機器判定手段を備えている。具体的には、通信アダプタが接続されたネットワーク対応機器に対して定期的にメーカー／機種／型式など機器を特定する情報を確認することにより判定する。尚、ここで説明して判定方法は一例であり、通信アダプタ電源が投入されたときに行う等別の方法でもよい。
【００１８】
好ましくは、通信アダプタは、接続機器判定手段が当該通信アダプタに接続されたネットワーク対応機器が変更になったと判定することに応じて、既に割当てられた第２識別符号を削除して、コントローラに新たな機器の制御可能な機能情報などの機器固有情報を送信する機能をさらに備える。
【００１９】
好ましくは、通信アダプタは、第２識別符号を該通信アダプタに接続されるネットワーク対応機器に付与する機能をさらに備える。このことにより、通信アダプタに接続されたネットワーク対応機器が変更されたかどうかを、第２識別符号が一致しているかどうかの判定を行うことで可能となる。
【００２０】
また、ネットワーク対応機器に第２識別符号を付与することで、通信アダプタは接続されるネットワーク対応機器の変更判定を行わず、ネットワーク対応機器の第２識別符号を取得し、コントローラに送信する。コントローラが第１識別符号の通信アダプタから送信されてきた、第２識別符号（家電機器）が一致しているかどうかにより、登録済み家電機器／未登録家電機器の判定を行うことが可能となる。
【発明の効果】
【００２１】
この発明によるホームネットワークシステムにおいては、コントローラは、ネットワークに接続される通信アダプタに、固有に割当てるノードＩＤを含む第１識別符号と、別に個体識別を行うための第２識別符号とを付与する機能を備えているので、通信アダプタを接続することによりネットワークに接続される家電機器や住宅設備機器などのようなネットワーク対応機器に対しても、ネットワーク上から一意にネットワーク対応機器を識別できるホームネットワークシステムを提供することが可能となる。
【発明を実施するための最良の形態】
【００２２】
以下、図面を参照しつつ本発明によるホームネットワークシステムの実施の形態について説明する。
【００２３】
［実施形態１］
図１は、本発明によるホームネットワークの実施形態１を示す概念図である。このホームネットワークにおいて、エアコン１、照明２は、各々に接続された通信アダプタ３、４を通じて無線通信５でコントローラ６に接続されている。このように、家電機器（エアコン１や照明２）と、それらをホームネットワークに接続する通信アダプタとは、別々に構成されている。このように構成することで、最初はホームネットワークに接続しない家電機器であっても、通信アダプタと接続するだけの軽い負担のインターフェイスを持たせておき、ホームネットワークに接続する場合には、必要に応じて通信アダプタを追加することでホームネットワークへの接続を可能にする構成となっている。
【００２４】
図２は図１に示す本発明の実施形態１であるホームネットワークにおけるコントローラの機能ブロック図、図３は図１に示す本発明の実施形態１であるホームネットワークにおける通信アダプタと通信アダプタが接続される家電機器の機能ブロック図である。
【００２５】
図２に示すように、コントローラ６は、ホームネットワーク上の家電機器と無線信号を送受信するためのアンテナ１０１と、アンテナ１０１にて送受信する信号に所定の処理を行なう無線通信部１０２と、コントローラ６全体の制御を行う制御部１０３と、家電機器の運転状態の変更や設定変更などの入力を行う操作部１０４と、家電機器の動作状態や初期設定中のガイダンスなどの各種情報を表示する表示部１０５とを備えている。
【００２６】
制御部１０３の内部には、無線通信部１０２、アンテナ１０１を介してホームネットワーク上の家電機器と通信を行うネットワーク通信制御部１１０と、家電機器との無線通信を行うために使用する無線チャンネル、識別コード、ノードＩＤなどの第１識別符号を家電機器に設定するための第１識別符号付与部と、ホームネットワークシステムとして家電機器を識別するための第２識別符号を家電機器に設定するための第２識別符号付与部と、家電機器に割当てた第１識別符号、第２識別符号や、家電機器から送信されてきた機器情報などの情報を記憶する記憶部１１３、家電機器から送信されてきた第２識別符号や機器情報の判定を行う識別符号判定部１１４を含む。
【００２７】
図３に示すように、家電機器１４０は、所定の通信形式で通信アダプタ１２０と信号の授受により通信を行うための家電通信制御部１４１と、通信アダプタ１２０と接続するためのインターフェイス部１４２とを備える。また、図示はしないが家電機器１４０がエアコンの場合、制御に従って送風や温度調整などのエアコンとしての機能を持つ。
【００２８】
一方、通信アダプタ１２０は、家電機器１４０と接続するためのインターフェイス部１２１と、コントローラ６やホームネットワーク上の他の家電機器と無線信号を送受信するためのアンテナ１２２と、アンテナ１２２にて送受信する信号に所定の処理を行なう無線通信部１２３と、通信アダプタ１２０全体の制御を行う制御部１２４と、初期設定などの入力を行う操作部１２５と、動作状態などの各種情報を表示する表示部１２６とを備えている。制御部１２４の内部には、インターフェイス部１２１を介して所定の通信形式で家電機器１４０と信号の授受により通信を行うための家電通信制御部１３１と、無線通信部１２３及びアンテナ１２２を介してホームネットワーク上の他の家電機器と通信を行うネットワーク通信制御部１３２と、コントローラ６から付与された第１識別符号及び第２識別符号などを記憶する記憶部１３３、接続される家電機器が変更されたかどうかを判定する接続機器判定部１３４を含む。
【００２９】
次に、本発明によるホームネットワークの実施形態１についての動作を、コントローラ６、通信アダプタ１２０及び家電機器１４０の登録時の通信シーケンスを示す図４に基づいて説明する。
【００３０】
家電機器１４０の電源が入れられると、通信アダプタ１２０にも給電され、家電機器１４０、通信アダプタ１２０共に起動する（ステップ２０１；「Ｓ２０１」と略す。以下同様）。通信アダプタ１２０が起動すると、家電機器１４０に対して「機器情報問合せ」の要求信号を送信する（Ｓ２０２）。それに対して、家電機器１４０は「機器情報応答」信号を返信する（Ｓ２０３）。尚、「機器情報応答」信号には、接続された家電機器１４０のメーカー情報、機種情報、制御プロパティ情報などが含まれており、「機器情報応答」信号を受信した通信アダプタ１２０は、接続されている家電機器１４０の機器固有情報として認識して当該機器固有情報を記憶部１３３に記憶する。これにより、通信アダプタ１２０と家電機器１４０のシステム初期設定が終了となり、以降、通信アダプタ１２０と家電機器１４０の通信が可能となる。
【００３１】
家電機器１４０の接続認識を行った通信アダプタ１２０は、ホームネットワークに参入するためコントローラ６との登録モードに移行するための登録処理要求を行う。登録モードとは、予め決められた通信チャンネル、識別コードなどを使用して、通信アダプタ１２０とコントローラ６とがお互いに無線通信可能な状態のことをいう（Ｓ２０４）。登録モードへの移行は次のようにして行われる。即ち、通信アダプタ１２０は、ノードＩＤ（アドレス情報）及び通常の無線通信で使用する通信チャンネル、識別コード、スクランブル符号などの第１識別符号を要求するため、「情報伝送（１）」をコントローラ６に送信する（Ｓ２０５）。信号を受信したコントローラ６は、通信チャネル、識別コード、スクランブル符号の通信条件と、通信アダプタ１２０に割当てるノードＩＤを含む第１識別符号を「情報伝送（２）」で通信アダプタ１２０に返信する（Ｓ２０６）。ノードＩＤを含む第１識別符号を受信した通信アダプタ１２０は、確認のため、受信したノードＩＤを用いて自局受信周期をコントローラ６に送信する。図４において「情報伝送（３）」と記述された矢印がこの処理を意味する（Ｓ２０７）。
【００３２】
これらの処理が終了すると、通信アダプタ１２０は登録モードを終了する。コントローラ６においても、通信アダプタ１２０から自局受信周期を受信したことに対応する内部処理を完了すると、登録モードを終了する。以降、通信アダプタ１２０は第１識別符号で設定された、通信チャネル、識別コード、スクランブル符号の通信条件と、割当てられたノードＩＤを使用して、コントローラ６と通信を行う。該通信条件はホームネットワーク上の他の通信アダプタや端末と同一であり、これにより同一ネットワーク上の全ての端末間通信が可能となる。また、ノードＩＤはコントローラ６が重複しないように各通信アダプタに割当てているため、ノードＩＤで端末を一意に識別することができ、互いに無線通信を行うことが可能となる。
【００３３】
登録モードを終了して、通常のモードに移行した通信アダプタ１２０は、「機器情報通知」を送信して、接続されている家電機器１４０のメーカー情報、機種情報、制御プロパティ情報などをコントローラ６に通知する（Ｓ２０８）。「機器情報通知」で通知される情報は、上記の家電機器１４０と通信アダプタ１２０との間における機器情報応答で遣り取りされる機器固有情報から、家電機器１４０と通信アダプタ１２０との間での通信に必要な情報などの両者間で独自に定めている情報がある場合にその情報を除いたものである。信号を受信したコントローラ６は、家電機器１４０の制御プロパティ情報から、制御できるコマンドと操作キー情報の生成を行うと共に、家電機器１４０の設置場所名、機器名称の設定を行うために、家電機器１４０の設置場所の確認を行うための操作入力画面を表示部１０５に表示する。設置場所確認操作が操作部１０４で行われると、「表示・開始指示」を通信アダプタ１２０に送信する（Ｓ２０９）。
【００３４】
信号を受信した通信アダプタ１２０は、表示部１２６により点滅表示を行う。このことにより、設定を行っている使用者が、設置場所を目視で確認することができるため、複数の家電機器を同時に設定する場合でも、間違った設置場所名、機器名称を入力することのない設定が可能となる。また、「表示・開始指示」を受信した通信アダプタ１２０が、接続されている家電機器１４０の運転を開始／停止する制御を行うことにより、設置場所を目視で確認する方法でもよい。家電機器１４０が照明の場合、点灯／消灯制御を行うことで、設置場所を一目で確認することが可能となる。このように、家電機器１４０の設置場所などを確認して、設置場所名、機器名称の設定が終了すると、「表示・停止指示」を通信アダプタ１２０に送信して、位置確認のための表示部１２５の点滅表示停止又は、家電機器１４０の動作の停止を行う（Ｓ２１０）。次に、コントローラ６は、記憶部１１３に記憶している既に割当てた第２識別符号と重複しない番号、例えば登録順で番号を決定して第２識別符号として、通信アダプタ１２０に「第２識別符号通知」を送信する（Ｓ２１１）。
【００３５】
これらの処理が終了すると、コントローラ６は通信アダプタ１２０に割当てた第２識別符号と、通信アダプタ１２０の制御プロパティに対応するように生成された操作キー情報や、設置場所名、機器名称を関連付けて記憶部１１３に記憶する内部処理を行い、当該内部処理が完了するとシステム初期設定を終了する。通信アダプタ１２０は、受信した第２識別符号を通信アダプタ１２０の記憶部１３３に記憶する内部処理を完了すると、システム初期設定を終了する。このように、コントローラ６が通信アダプタ１２０から家電機器１４０の機器情報通知を受けて、制御プロパティ情報から生成した操作キー情報や、設置場所名、機器名称設定した後に、通信アダプタ１２０に第２識別符号を重複しないように割当てて記憶するため、第２識別符号によりコントローラ６に登録された家電機器１４０を一意に識別することができる。
【００３６】
続いて、本発明の実施形態１におけるコントローラ６における登録済みの家電機器からの通信かどうかの判定動作について、当該動作のフローチャートを示す図５に基づいて、説明する。システム初期設定が終了済みの通信アダプタ１２０は、電源が給電され起動すると、既に記憶部１３３に設定されているノードＩＤを含む第１識別符号を用いて、「機器情報通知」をコントローラ６に送信する。該機器情報通知にはメーカー情報、機種情報、制御プロパティ情報などと共に、既に記憶している第２識別符号を付けられている。コントローラ６が該機器情報通知を受信（Ｓ３０１）すると、第２識別符号が付けられているか、付けられている場合には、コントローラ６が割当てた番号であるかどうかを判定する（Ｓ３０２）。
【００３７】
次に、コントローラ６は、自身が割当てた第２識別符号であると確認できれば、機器情報通知のメーカー情報、機種情報、制御プロパティ情報が一致しているかどうかを判定する（Ｓ３０３）。コントローラ６は、第２識別符号とメーカー情報、機種情報、制御プロパティ情報が一致している場合、既に登録済みの家電機器１４０からの通信であると認証する（Ｓ３０４）。このように、登録済みの家電機器１４０からの通信であることが判れば、既に生成した操作キー情報や、設定した設置場所名、機器名称を表示部１０５に表示すると共に、家電機器１４０の動作状態を表示し、操作部１０４による操作を受付ける通常の制御動作を行う。
【００３８】
一方、ステップＳ３０２、ステップＳ３０３で第２識別符号が無い、コントローラ６自身が割当てた第２識別符号ではない、第２識別符号とメーカー情報、機種情報、制御プロパティ情報が一致しないと判断されると、未登録の家電機器からの通信であると判定して、コントローラ６の表示部１０５に未登録機器が有ることを知らしめる表示を行う。また、「機器情報通知」を送信してきた通信アダプタ１２０に対して、未登録機器であることを通知する電文を送信する（Ｓ３０５）。図示していないが、通信アダプタ１２０は、表示部１２６に未登録機器であることを表示して使用者に知らしめる。続いて、コントローラ６は、通信アダプタ１２０から送信されてきた未登録の家電機器１４０の「機器情報通知」の制御プロパティ情報から、制御できるコマンドと操作キー情報の生成を行い、新たに家電機器１４０の設置場所名、機器名称の設定を行うための位置確認操作、設定に関する一連のシステム初期設定動作を行い、完了すると、新規の家電機器として登録して、通常の制御動作に移行する（Ｓ３０６）。該システム初期設定動作をおこなっている時、通信アダプタ１２０の表示部１２６に表示させることにより、通常動作ではなくシステム初期設定動作を再度行っていることを使用者に知らしめる。
【００３９】
このように、コントローラ６で第２識別符号を用いて登録済みの家電機器であるかどうかの判定を行うことができるため、通信アダプタ１２０が既に登録済み（第１識別符号一致）であり、接続される家電機器のみが変更された場合であっても、正確に登録済みの家電機器であるかどうかの判断を行うことができるため、登録済みの家電機器の場合には再度システム初期設定をやり直す無駄をなくすることができる。
【００４０】
特に、通信アダプタ及び家電機器内部に無線ＬＡＮカードのような取替え外し可能な通信モジュール（図３の無線通信部１２３に相当）を挿入して構成する場合、通信モジュールの故障などにより交換されると、無線通信を行うためのノードＩＤを含む第１識別符号が家電機器の機能と関係なく変更されることになるが、第１識別符号とは別の第２識別符号で登録済みの家電機器であるかどうかの判断を行うため、登録済みの家電機器のシステム初期設定をやり直すことの無い、効率の良いホームネットワークシステムを提供することができる。
【００４１】
また、未登録の家電機器からの通信があった時、コントローラ６又は通信アダプタ１２０にて表示を行うことにより、未登録機器であることを使用者に知らしめて、登録対応を促すことで、スムーズなシステム再設定が可能となる。
【００４２】
また、家電機器、通信アダプタの電源立上げ時の機器情報通知（第２識別符号を含む）で、登録機器済みかどうかを判断すると共に、未登録機器の場合は該機器情報通知情報を基にシステム初期設定を行うことで、使用者の再設定操作を簡略化することができる。また、システム初期設定の再設定状態であることをコントローラ６、通信アダプタ１２０に表示することで、現在の状態が一目でわかる使い勝手の良いホームネットワークシステムを提供することができる。
【００４３】
［実施形態２］
図６は、本発明によるホームネットワークシステムの実施形態２における通信アダプタ１２０の接続された家電機器１４０が変更されたかどうかを判定する動作のフローチャート図を示す。
【００４４】
実施形態２のホームネットワークシステムにおいて、システム初期設定が終了済みの通信アダプタ１２０は、電源が給電され起動すると家電機器１４０に機器情報問合せを行い、接続された家電機器１４０のメーカー情報、機種情報、制御プロパティ情報などの機器情報を取得する（Ｓ４０１）。この取得した機器情報と、記憶部１３３に記憶されているシステム初期設定時の機器情報と一致しているかどうかを判定する（Ｓ４０２）。次に、該機器情報が一致していれば、家電機器の接続変更は無いと判断して、既に取得している第２識別符号を付けて、「機器情報通知」をコントローラ６に送信する（Ｓ４０３）。
【００４５】
一方、ステップＳ４０２で該機器情報が一致しない場合は、システム初期設定時と違う家電機器１４０に接続変更されたと判断し、記憶部１３３の記憶済みの第２識別符号をクリアする（Ｓ４０４）。そして、第２識別符号を付けないで、「機器情報通知」をコントローラ６に送信する（Ｓ４０３）。このように、通信アダプタ１２０側で、接続される家電機器１４０の変更を判定し、且つ、「機器情報通知」に第２識別符号を付ける／付けないで送信することにより、システム初期設定時と違う家電機器が接続されたことをコントローラ６に知らせることができる。
【００４６】
したがって、コントローラ６で家電機器１４０のメーカー情報、機種情報、制御プロパティ情報が一致しているかどうか判断を行わなくても、通信アダプタ１２０から送信された第２識別符号の一致を判断するだけで、未登録機器か、既に登録済みの機器か、を判断することができる。
【００４７】
［実施形態３］
図７は、本発明によるホームネットワークシステムの実施形態３における通信アダプタと、通信アダプタが接続される家電機器の機能ブロック図である（同一記号の説明は省略する）。家電機器１４０は所定の通信形式で通信アダプタ１２０と信号の授受により通信を行うための家電通信制御部１４１内部に、第２識別符号を記憶するための記憶部１５０を持つ。
【００４８】
次に、本発明によるホームネットワークシステムの実施形態３におけるコントローラ６、通信アダプタ１２０、家電機器１４０の登録時の通信シーケンスを示す図８を基に、動作について説明する（同一記号の説明は省略する）。
【００４９】
ステップＳ２１１で、コントローラ６から「第２識別符号通知」を受信した通信アダプタ１２０は、受信した第２識別符号を通信アダプタ１２０の記憶部１３３に記憶する内部処理を行うと共に、第２識別符号を家電機器１４０に通信する（Ｓ２１２）。これらの処理が終了すると、通信アダプタ１２０はシステム初期設定を終了する。家電機器１４０は、受信した第２識別符号を家電機器１４０の記憶部１５０に記憶する内部処理を完了すると、システム初期設定を終了する。このように、コントローラ６に登録された家電機器１４０を一意に識別するための第２識別符号を、通信アダプタ１２０、家電機器１４０それぞれが記憶する。
【００５０】
続いて、本発明によるホームネットワークシステムの実施形態３における通信アダプタ１２０の接続された家電機器１４０が変更されたかどうかを判定する動作について、当該動作のフローチャートを示す図９に基づいて説明する。
【００５１】
システム初期設定が終了済みの通信アダプタ１２０は、電源が給電され起動すると家電機器１４０に機器情報問合せを行い、接続された家電機器１４０のメーカー情報、機種情報、制御プロパティ情報などと共に、第２識別符号を取得する（Ｓ４５１）。この取得した第２識別符号が、記憶部１３３に記憶されているシステム初期設定時の第２識別符号と一致しているかどうかを判定する（Ｓ４５２）。次に、該第２識別符号が一致していれば、家電機器の接続変更は無いと判断して、既に取得している第２識別符号を付けて、「機器情報通知」をコントローラ６に送信する（Ｓ４５３）。
【００５２】
一方、ステップＳ４５２で第２識別符号が無い、又は第２識別符号が一致しない場合は、システム初期設定時と違う家電機器１４０に接続変更されたと判断し、通信アダプタ１２０の記憶部１３３の記憶済みの第２識別符号をクリアする（Ｓ４５４）。また、家電機器１４０に対して第２識別符号を削除する指示を行い、家電機器１４０の記憶部１５０の記憶済みの第２識別符号をクリアする（Ｓ４５４）。そして、通信アダプタ１２０は第２識別符号を付けないで、「機器情報通知」をコントローラ６に送信する（Ｓ４５３）。
【００５３】
このように、家電機器１４０と通信アダプタ１２０それぞれに、コントローラ６から一意に割当てられた第２識別符号を記憶して、この第２識別符号が一致しているかどうかを判定することにより、コントローラ６と通信アダプタ１２０、通信アダプタ１２０と家電機器１４０の接続変更の有無を一元管理することができる。
【００５４】
したがって、コントローラ６及び通信アダプタ１２０では、家電機器１４０のメーカー情報、機種情報、制御プロパティ情報が一致しているかどうか判断を行わなくても、各々で第２識別符号の一致を判断するだけで、未登録機器か、既に登録済みの機器か、を判断することができる。
【００５５】
尚、本実施形態の第１〜３の例では、家電機器１４０と通信アダプタ１２０が別々の機器のように説明したが、通信アダプタ１２０が家電機器１４０の同一筐体の中に収納される構成であっても、機能上分離ができるものであれば、本発明の効果があることはいうまでもない。
【００５６】
今回開示された実施形態はすべての点で例示であって制限的なものではないと考えられるべきである。本発明の範囲は、上記した説明ではなくて特許請求の範囲によって示され、特許請求の範囲と均等の意味及び範囲内でのすべての変更が含まれることが意図される。
【図面の簡単な説明】
【００５７】
【図１】本発明によるホームネットワークシステムの実施形態１を示す概念図である。
【図２】図１に示す実施形態１におけるコントローラの機能ブロック図である。
【図３】図１に示す実施形態１における通信アダプタと、通信アダプタが接続される家電機器の機能ブロック図である。
【図４】図１に示す実施形態１におけるコントローラ、通信アダプタ、家電機器の登録時の通信シーケンスを示す図である。
【図５】図１に示す実施形態１におけるコントローラの登録済みの家電機器からの通信かどうかを判定する動作のフローチャートを示す図である。
【図６】本発明によるホームネットワークシステムの実施形態２における通信アダプタの接続された家電機器が変更されたかどうかを判定する動作のフローチャート図である。
【図７】本発明によるホームネットワークシステムの実施形態３における通信アダプタと、通信アダプタが接続される家電機器の機能ブロック図である。
【図８】図７に示す実施形態３におけるコントローラ、通信アダプタ、家電機器の登録時の通信シーケンスを示す図である。
【図９】図７に示す実施形態３における通信アダプタの接続された家電機器が変更されたかどうかを判定する動作のフローチャートを示す図である。
【符号の説明】
【００５８】
１  エアコン                          ２  照明
３  通信アダプタ（エアコンに接続）    ４  通信アダプタ（照明に接続）
５  無線通信                          ６  コントローラ
１０１  コントローラのアンテナ    １０２  コントローラの無線通信部
１０３  コントローラの制御部      １０４  コントローラの操作部
１０５  コントローラの表示部
１２０  通信アダプタ              １２１  家電機器と接続するためのインターフェイス部
１２２  通信アダプタのアンテナ    １２３  通信アダプタの無線通信部
１２４  通信アダプタの制御部      １２５  通信アダプタの操作部
１２６  通信アダプタの表示部
１４０  家電機器                  １４１  家電通信制御部
１４２  通信アダプタと接続するためのインターフェイス部
【図１】
2008172570.tif 000003
【図２】
2008172570.tif 000004
【図３】
2008172570.tif 000005
【図４】
2008172570.tif 000006
【図５】
2008172570.tif 000007
【図６】
2008172570.tif 000008
【図７】
2008172570.tif 000009
【図８】
2008172570.tif 000010
【図９】
2008172570.tif 000011